(57)【要約】内側（２１０）および外側（２２０）に環状で空洞の導体を用いた多目的のケーブル（３００）であって、ケーブル（２００）はまた、導体を分離する誘電性部材の第１層（２３０）を含む。外側の導体は、導電性部材の第２層（２４０）によって覆われており、内側の導体（２１０）は、誘電性部材の前記第１層（２３０）内に配置されている。誘電性部材の第１（２３０）および第２（２４０）の層だけでなく内側（２１０）および外側（２２０）の誘電性導体も、前記第１の光学ケーブル（３１０）を搭載および保護するのに役立つようにし、かつ、内側（２１０）および外側（２２０）の導体が電力および／または電気信号を伝送するのに適するようにするために、ケーブル（２００）は、さらに、内側の誘電性導体（２１０）内に搭載される第１の光学ケーブル（３１０）を含む。
2010523000.tif 000002
【特許請求の範囲】
【請求項１】
第１の細長部材を第２の細長部材に沿った予め定められた位置に維持するための位置決め装置であって、前記第２の細長部材は前記第１の細長部材を貫く開口部内に位置決めされ、前記位置決め装置は、
中央空間を囲むバンド部と、
前記バンド部に取付けられた第１の端部と前記中央空間の内側に向かって半径方向に延在する第２の端部とを有する少なくとも１つの弾力性のある突出部材とを備え、前記第２の端部の少なくとも１つは、前記中央空間内に受け入れられる前記第２の細長部材と係合可能であり、前記バンド部および前記少なくとも１つの突出部材は、前記第２の細長部材の長さ方向の軸に沿って前記バンド部に向けられかつ前記少なくとも１つの突出部材と前記第２の細長部材との間の抵抗を克服するのに十分な力が加えられることにより、前記第２の細長部材に沿って前記予め定められた位置に滑らせて移動可能であり、前記第２の端部の少なくとも１つは、前記第２の細長部材を強固に係合しかつ前記力が加えられていないときに前記バンド部および前記第１の細長部材を前記予め定められた位置にて維持する、位置決め装置。
【請求項２】
前記バンド部は、円状の外辺部を有する、請求項１に記載の位置決め装置。
【請求項３】
前記バンド部は、前記軸に沿って伸長されている、請求項１に記載の位置決め装置。
【請求項４】
前記バンド部は、前記第２の細長部材の前記穴部内に受け入れられるようサイズ決めされている、請求項３に記載の位置決め装置。
【請求項５】
前記バンド部は、円錐形のようにテーパー状である、請求項３に記載の位置決め装置。
【請求項６】
前記バンド部に取付けられかつそこから外側に向かって半径方向に延在する縁部をさらに備え、前記縁部は、前記第１の細長部材と係合可能である、請求項３に記載の位置決め装置。
【請求項７】
前記縁部は、前記バンド部の一端に取付けられている、請求項６に記載の位置決め装置。
【請求項８】
前記少なくとも１つの突出部材は、前記一端と反対側に位置する前記バンド部の一端に位置決めされる、請求項７に記載の位置決め装置。
【請求項９】
前記少なくとも１つの突出部材は、前記バンド部の前記一端に位置決めされる、請求項７に記載の位置決め装置。
【請求項１０】
前記少なくとも１つの突出部材は、楔形の形状であって、前記第１の端部は、前記第２の端部よりも幅が広い、請求項１に記載の位置決め装置。
【請求項１１】
前記位置決め装置は、互いに隣接するよう位置決めされた複数の突出部材を有する、請求項１に記載の位置決め装置。
【請求項１２】
概して単一の幅を有するスリットが、前記突出部材の間に設けられる、請求項１１に記載の位置決め装置。
【請求項１３】
前記位置決め装置は、前記突出部材のうちの隣接する突出部材の間に空間が設けられた複数の突出部材を有する、請求項１に記載の位置決め装置。
【請求項１４】
前記空間は、前記突出部材と同様の形状である、請求項１３に記載の位置決め装置。
【請求項１５】
前記第２の端部は、前記第２の細長部材の外表面に対して相補的な形状を有する、請求項１に記載の位置決め装置。
【請求項１６】
前記形状は、凹面を設ける、請求項１５に記載の位置決め装置。
【請求項１７】
前記凹面は、前記軸に対して円弧の輪郭を有する、請求項１６に記載の位置決め装置。
【請求項１８】
前記位置決め装置は、前記第２の端部の少なくともいくつかが、前記中央空間内に受入れられる前記第２の細長部材に関連して間隔を空けて配置されている、複数の前記突出部材を有する、請求項１に記載の位置決め装置。
【請求項１９】
前記突出部材のうちの隣接する突出部材は、異なる長さである、請求項１８に記載の位置決め装置。
【請求項２０】
１つおきの突出部材は、同じ長さである、請求項１９に記載の位置決め装置。
【請求項２１】
前記位置決め装置および前記第１の細長部材は、一体の材料として形成される、請求項１に記載の位置決め装置。
【請求項２２】
前記位置決め装置は、１対の前記第２の細長部材を受入れるための１対の分離された開口部の少なくとも一部を形作るために分離された軸に向かって延在する少なくとも１対の突出部材を有する、請求項１に記載の位置決め装置。
【請求項２３】
前記軸の一方に向かって延在する複数の突出部材と、前記軸の他方に向かって延在する複数の突出部材とをさらに備える、請求項２２に記載の位置決め装置。
【請求項２４】
位置決め装置と細長部材との組合わせにおいて、前記位置決め装置は保護スリーブを前記細長部材に沿った予め定められた位置に維持するためのものであり、前記細長部材は前記保護スリーブを貫く穴部内に位置決め可能であり、前記位置決め装置は、
中央空間を囲むバンド部と、
前記バンド部に取付けられた第１の端部と前記中央空間の内側に向かって半径方向に延在する第２の端部とを有する少なくとも１つの柔軟で弾力性のある突出部材とを備え、前記第２の端部の少なくとも１つは、前記中央空間内に受け入れられる前記細長部材と係合可能であり、前記バンド部および前記少なくとも１つの突出部材は、前記細長部材の長さ方向の軸に沿って前記バンド部に向けられかつ前記少なくとも１つの突出部材と前記細長部材との間の抵抗を克服するのに十分な力が加えられることにより、前記細長部材に沿って前記予め定められた位置に滑らせて移動可能であり、前記第２の端部の少なくとも１つは、前記細長部材を強固に係合し、前記力が加えられていないときに前記バンド部を前記予め定められた位置にて保持し、かつ、前記細長部材に沿った前記予め定められた位置に前記スリーブを維持する、位置決め装置。
【請求項２５】
前記細長部材は、環状の溝部によって互いから軸方向において間隔を空けて配置された複数の環状の波状突起部を備え、前記第２の端部の少なくとも１つは、前記バンド部と前記スリーブとを前記予め定められた位置に維持するために、隣り合う波状突起部の間にある前記環状の溝部の一つに受入れられ、前記少なくとも１つの突出部材は、弾力的に柔軟であり、前記位置決め装置を前記細長部材に関連した軸方向に移動させるために、前記中央軸に沿った前記バンド部への力が加えられることにより前記波状突起部上を通過する、
請求項２４に記載の組合わせ。
【請求項２６】
前記位置決め装置は、前記突出部材のうちの隣接する突出部材が異なる長さである、複数の前記突出部材を有する、請求項２５に記載の組合わせ。
【請求項２７】
１つおきの突出部材は、同じ長さである、請求項２６に記載の組合わせ。
【請求項２８】
前記位置決め装置は、前記第２の端部の少なくともいくつかが前記細長部材から外側に向かって半径方向に間隔を空けて配置されている、複数の前記突出部材を有する、請求項２４に記載の組合わせ。
【請求項２９】
前記バンド部は、円状の外辺部を有する、請求項２４に記載の組合わせ。
【請求項３０】
前記バンド部は、前記軸に沿って伸長されている、請求項２４に記載の組合わせ。
【請求項３１】
前記バンド部は、前記細長部材の前記穴部内に少なくとも部分的に受け入れられるようサイズ決めされている、請求項３０に記載の組合わせ。
【請求項３２】
前記バンド部は、円錐形のようにテーパー状である、請求項３０に記載の組合わせ。
【請求項３３】
前記バンド部に取付けられかつそこから外側に向かって半径方向に延在する縁部をさらに備え、前記縁部は、前記スリーブと係合可能である、請求項３０に記載の組合わせ。
【請求項３４】
前記縁部は、前記バンド部の一端に取付けられている、請求項３３に記載の組合わせ。
【請求項３５】
前記少なくとも１つの突出部材は、前記一端と反対側に位置する前記バンド部の一端に位置決めされる、請求項３４に記載の組合わせ。
【請求項３６】
前記少なくとも１つの突出部材は、前記バンド部の前記一端に位置決めされる、請求項３４に記載の組合わせ。
【請求項３７】
前記少なくとも１つの突出部材は、楔形の形状であって、前記第１の端部は、前記第２の端部よりも幅が広い、請求項２４に記載の組合わせ。
【請求項３８】
前記位置決め装置は、互いに隣接するよう位置決めされた複数の前記突出部材を有する、請求項２４に記載の組合わせ。
【請求項３９】
概して単一の幅を有するスリットが、前記突出部材の間に設けられる、請求項３８に記載の組合わせ。
【請求項４０】
前記突出部材のうちの隣接する突出部材の間に空間が設けられる、請求項３８に記載の組合わせ。
【請求項４１】
前記空間は、前記突出部材と同様の形状である、請求項４０に記載の組合わせ。
【請求項４２】
前記第２の端部は、前記細長部材の外表面に対して相補的な形状を有する、請求項２４に記載の組合わせ。
【請求項４３】
前記形状は、凹面を設ける、請求項４２に記載の組合わせ。
【請求項４４】
前記凹面は、前記軸に対して円弧の輪郭を有する、請求項４３に記載の組合わせ。
【請求項４５】
前記位置決め装置および前記第１の細長部材は、一体の材料として形成される、請求項２４に記載の組合わせ。
【請求項４６】
前記位置決め装置は、１対の前記第２の細長部材を受入れるための１対の分離された開口部の少なくとも一部を形作るために分離された軸に向かって延在する少なくとも１対の突出部材を有する、請求項２４に記載の組合わせ。
【請求項４７】
前記位置決め装置は、前記軸の一方に向かって延在する複数の突出部材と、前記軸の他方に向かって延在する複数の突出部材とをさらに備える、請求項４６に記載の組合わせ。
【請求項４８】
配線用ハーネスと接続されたセンサを保護するための組立品であって、前記組立品は、
前記センサに受入れられるための穴部を有する保護シールドと、
隣接の前記センサから前記保護シールドの前記穴部を通って延在する、伸長されたハーネススリーブと、前記ハーネススリーブは、前記配線用ハーネスの少なくとも一部を囲み、
前記センサを保護するために前記ハーネススリーブに沿った予め定められた位置に前記保護シールドを維持するための位置決め装置とを備え、前記位置決め装置は、中央空間を囲む伸長されたバンド部と、前記バンド部に取付けられた第１の端部と前記中央空間の内側に向かって半径方向に延在する第２の端部とを有する少なくとも１つの柔軟で弾力性のある突出部材とを含み、前記第２の端部の少なくとも１つは、前記中央空間内に受け入れられる前記ハーネススリーブと係合可能であり、前記バンド部および前記少なくとも１つの突出部材は、前記ハーネススリーブに沿って完全な軸方向に向けられた力が加えられることにより、前記予め定められた位置に滑らせて移動可能であり、前記第２の端部の少なくとも１つは、前記ハーネススリーブを強固に係合し、前記バンド部および前記保護スリーブを前記予め定められた位置にて維持する、組立品。
【請求項４９】
外側にハーネススリーブを有する伸長された配線用ハーネスの一端と接続された装置を保護する方法であって、
中央空間を有する環状のバンド部と、前記バンド部に取り付けられた第１の端部、および、前記中央空間の内側に向かって半径方向に延在する第２の端部を有する少なくとも１つの柔軟で弾力性のある突出部材とを設けることと、
管状の保護シールドを設けることと、
前記装置に保護を与えるために、前記装置を少なくとも部分的に囲む保護位置に前記保護シールドを位置決めすることと、
前記バンド部の前記中央空間に前記ハーネススリーブを配置することと、
前記保護位置に前記保護シールドを取り外し可能に維持するために、前記バンド部を前記ハーネススリーブに沿って前記保護シールドとともに滑らせることとを備え、前記滑らせることによって、軸方向に前記バンド部へかけられた力が加えられると、前記少なくとも１つの突出部材における少なくとも１つの前記第２の端部を前記ハーネススリーブと柔軟に係合させ、前記力が加えられていない場合は、前記少なくとも１つの突出部材における前記第２の端部の少なくとも一つは、前記ハーネススリーブと係合状態のままとなり、前記保護位置に前記保護シールドを維持する、方法。
【請求項５０】
前記ハーネススリーブに、環状の溝部によって互いから軸方向において間隔を空けて配置された複数の環状の波状突起部を与えることをさらに備え、前記第２の端部の前記少なくとも１つは、前記力の除去により前記バンド部と前記保護シールドとを前記予め定められた位置に維持するために、隣り合う波状突起部の間にある前記環状の溝部の一つに受入れられる、請求項４９に記載の方法。
【請求項５１】
前記バンド部は、複数の突出部材を有しており、前記突出部材のうちの隣接する突出部材が異なる長さを有するように構成することをさらに備えた、請求項５０に記載の方法。
【請求項５２】
１つおきの突出部材が同じ長さを有するように構成することをさらに備えた、請求項５１に記載の方法。
【請求項５３】
前記バンド部は、複数の突出部材を有しており、前記突出部材の少なくともいくつかが、前記溝部から外側に向かって半径方向に間隔を空けて配置されている第２の端部を有するように構成することをさらに備えた、請求項５０に記載の方法。
【請求項５４】
前記バンド部は、複数の突出部材を有しており、前記突出部材のうち隣接する突出部材間に、概して単一の幅を有するスリットを設けることをさらに備えた、請求項４９に記載の方法。
【請求項５５】
前記バンド部は、複数の突出部材を有しており、前記突出部材のうち隣接する突出部材間に空間を設けることをさらに備えた、請求項４９に記載の方法。
【請求項５６】
前記空間を前記突出部材と同様の形状となるよう設けることをさらに備えた、請求項１３に記載の方法。
【請求項５７】
前記バンド部と前記保護シールドとを一体の材料として形成することをさらに含む、請求項４９に記載の方法。
【請求項５８】
前記バンド部に、１対の前記配線用ハーネスを受入れるための１対の分離された開口部の少なくとも一部を形作るために分離された軸に向かって延在する少なくとも１対の突出部材を設けることをさらに含む、請求項４９に記載の方法。
【請求項５９】
前記バンド部に、前記軸の一方に向かって延在する複数の突出部材と、前記軸の他方に向かって延在する複数の突出部材とを設けることをさらに含む、請求項５８に記載の方法。
【発明の詳細な説明】
【技術分野】
【０００１】
１．技術分野
この発明は、センサまたは他の対象物を覆う保護シールドまたは他の細長部材を、予め定められた位置に位置決めして保持するための装置に関する。
【背景技術】
【０００２】
２．関連技術
エンジン動作および性能を制御するためのデータを与える、酸素センサのような自動車の用途に用いられるセンサは、車両のエンジン室内にしばしば搭載される。エンジン室においてそれらは、車両動作中、強烈な放射熱、摩耗の要因および継続的な振動を含む過酷な環境に晒される。この過酷な環境を考慮すると、振動を減衰し、摩耗から保護し、かつ放射熱を反射することができる保護スリービング（sleeving）によって比較的繊細なセンサを覆うことが有利である。そのようなスリーブは、たとえばポリエステルフェルトなどの不織布材料の内部減衰層を有する細長い管をしばしば含む。内部減衰層は、たとえば、ポリエステル繊維のスクリムまたはポリマーシート材のような補強層によって作られたアルミ箔層を含む反射層によって囲まれる。
【０００３】
保護スリーブの性質およびその環境によると、スリーブが所望の位置において確実に固定されることを可能にしつつ、センサの設置や点検のために容易に取外し可能にする態様で、センサにスリーブを取付けることは困難である。取付けを達成するために粘着性物質、テープおよび摩擦による接着が用いられるが、これらの方法はすべてさまざまな欠点を有する。粘着性物質によるセンサへの取付けは、一般に確実である一方、恒久的にスリーブをセンサに取付ける。その結果、このような方法では、センサの点検またはスリーブの再利用のためにスリーブを簡単に取外すことはできない。加えて、テープおよび摩擦による接着は、エンジン室においてセンサおよびその保護スリーブが直面する熱および振動を考慮すると、信頼することができず適していない。
【発明の概要】
【課題を解決するための手段】
【０００４】
この発明は、第１の細長部材を、第２の細長部材に沿った予め定められた位置に、保持するための位置決め装置に関する。第２の細長部材は、第１の細長部材内を貫く穴部(bore)内に配置される。位置決め装置は、中央空間を囲むバンド部を含む。柔軟で弾力性のある少なくとも１つの突出部材（finger）がバンド部に取付けられる。各突出部材は、バンド部に取付けられた第１の端部、および、中央空間の内側に向かって半径方向に延在する第２の端部を有する。第２の端部のうち少なくとも１つは、中央空間に受入れられる第２の細長部材と係合可能である。バンド部および突出部材は、第２の細長部材に沿った方向へ力がバンド部に加えられると、第２の細長部材に沿って予め定められた位置へ滑りつつ移動させることができる。バンド部を移動させるためには、この力は、突出部材と第２の細長部材との間の抵抗を克服するのに十分でなければならない。突出部材の少なくとも１つは、第２の細長部材をしっかりと係合し、力が加えられていない場合は予め定められた位置にバンド部を保持する。バンド部は、第２の細長部材に沿った予め定められた位置に第１の細長部材を保持するために、第１の細長部材と係合可能である。
【０００５】
ある好ましい実施形態において、バンド部は、伸長され、円状の外辺部を有し、かつ、テーパー状であってもよい。バンド部は、第１の細長部材の外表面の外側において、または、第１の細長部材の空間内において相互適合するようにサイズ決めされてもよい。縁部
は、バンド部に取付けられ、そこから半径方向に外側に向かって延在する。縁部は、第１の細長部材と係合可能である。
【０００６】
実用的な適用において、この発明のある局面は、配線用ハーネスと接続されたセンサに関係する位置に、保護シールドを保持するために用いられる組立品（assembly）を含む。組立品は、少なくとも部分的にセンサを受入れるための穴部を有する保護シールドと、センサから外向きに、熱保護シールドの穴部を通って延在するよう位置決め可能な細長いハーネススリーブ（ハーネススリーブは、配線用ハーネスを少なくとも部分的に囲みかつ保護するために位置決め可能である）と、ハーネススリーブに沿った予め定められた位置に保護シールドを保持するための上述のような位置決め装置とを含む。
【０００７】
この発明の他の局面は、外側にハーネススリーブを有する細長い配線用ハーネスの一端に接続されたデバイスを保護する方法を含む。この方法は、中央空間を有する環状のバンド部と、バンド部に取付けられた第１の端部および中央空間に向かって内側に半径方向に延在する第２の端部を有する少なくとも１つの柔軟で弾力性を有する突出部材を設けることを含む。さらに、環状の保護シールドを設けることと、デバイスを保護するために少なくとも部分的にこのデバイスを囲むような保護位置にその保護シールドを位置決めすることとを含む。その上さらに、バンド部の中央区間にハーネススリーブを配置することと、熱保護シールドと係合するようにハーネススリーブに沿ってバンド部を滑らせて、保護位置において保護シールドを取外し可能に維持することとを含む。バンド部の滑らかな移動によって、バンド部に向けられる軸方向の力が加えられると、突出部材の第２の端部のうちの少なくとも１つは柔軟にハーネススリーブを係合させる。突出部材の第２の端部のうちの少なくとも１つは、ハーネススリーブを係合状態で維持し、力が加えられていないときにバンド部および保護シールドを保護位置に維持する。
【０００８】
本発明のこれらおよび他の特徴および利点は、以下の現時点での好ましい実施形態およびベストモードの詳細な説明、添付されたクレームおよび添付の図面に関連して考慮されると、より容易に理解されるであろう。
【図面の簡単な説明】
【０００９】
【図１】この発明の現時点でのある好ましい実施形態に従う、センサを保護するための組立品を示す分解部分断面図である。
【図２】図１の組立品を示す組立て部分断面図である。
【図３】組立品とともに用いられる位置決め装置の現時点でのある好ましい実施形態の斜視図である。
【図４】組立品とともに用いられる位置決め装置の現時点での他の好ましい実施形態を示す斜視図である。
【図５】組立品とともに用いられる位置決め装置の現時点での他の好ましい実施形態を示す斜視図である。
【図６】組立品とともに用いられる位置決め装置の現時点での他の好ましい実施形態を示す斜視図である。
【図７】組立品とともに用いられる位置決め装置の現時点での他の好ましい実施形態を示す斜視図である。
【図８】図７の装置の組立て部分断面図である。
【図９】組立品とともに用いられる位置決め装置の現時点での他の好ましい実施形態を示す斜視図である。
【図１０】組立品とともに用いられる位置決め装置の現時点での他の好ましい実施形態を示す斜視図である。
【図１１】組立品とともに用いられる位置決め装置の現時点での他の好ましい実施形態を示す斜視図である。
【図１２】組立品とともに用いられる位置決め装置およびシールドの現時点での他の好ましい実施形態を示す組立て部分断面図である。
【図１３】組立品とともに用いられる位置決め装置の現時点での他の好ましい実施形態を示す斜視図である。
【発明を実施するための形態】
【００１０】
図面をより詳細に参照して、図１は、現時点でのある好ましい構成に従う位置決め装置組立品１０の分解図を示す。この構成は、たとえば、車両のエンジン室１６内に搭載されるセンサ１４を覆う第１の細長部材を、位置決めし、維持し、または保持するために用いられる。維持と保持とは、ここでは、同じ意味で使用され、第１の細長部材は、ここでは、たとえば、摩耗、騒音、ＥＭＩ、あるいは、ヒートまたは熱保護シールドとして説明され、かつ、以降たとえばセンサスリーブ１２として参照される。この例において、センサスリーブ１２は、少なくとも部分的にセンサ１４を受入れるためにサイズ決めされた穴部２０を有する、ここでは管１８としても表わされる細長い管状のシールドを含む。管１８は、例示であって限定的ではなく、振動減衰層２２および外向きに面する反射層２４を含むように構成されることが好ましい。
【００１１】
センサ１４、たとえば酸素センサは、マイクロプロセッサ（示されない）に、エンジン動作および性能を制御するためにそのマイクロプロセッサによって用いられるデータを与える配線用ハーネス２６を介して接続される。配線用ハーネス２６は、ここではたとえば細長い保護ハーネススリーブ２８として表わされる、概して配線用ハーネスの長さ方向に沿って延在する第２の細長部材によって覆われる。ハーネススリーブ２８は、ポリマー材のような材料または布地（fabric）から成形され、型に入れて作られ、または、組立てて作られ得る。また、ハーネススリーブ２８は、例として、ハーネススリーブ２８の外周に延在して半径方向の剛性および曲げ柔軟性を与える環状の波状突起部３０を有するとして示されている。
【００１２】
位置決め装置組立品１０は、ハーネススリーブ２８と、位置決め装置３２とを含み、位置決め装置３２は、ハーネススリーブ２８とセンサスリーブ１２との両方を係合する。使用中、図１および図２を比較して示されるように、ハーネススリーブ２８は、センサスリーブ１２の穴部２０内に受入れられる。センサスリーブ１２は、センサ１４にたとえば熱および他を遮蔽する保護を与えるために、ハーネススリーブ２８の長さ方向に沿って移動され、センサ１４を囲んで位置決めされる。位置決め装置３２は、ハーネススリーブ２８と係合されている間、軸方向に向けられた十分な力が加えられると、位置決め装置３２がハーネススリーブ２８の外表面に沿って長さ方向に滑ることによって動かされる。位置決め装置３２は、滑らされてセンサスリーブ１２と係合し、たとえば、センサスリーブ１２の外表面上に配置され得るし、またはここで示されるように、センサスリーブ１２の穴部２０内に少なくとも一部が受入れられ得る。位置決め装置３２がハーネスおよびセンサスリーブ２８，１２を同時に係合することにより、ハーネススリーブ２８に沿った予め定められた位置にセンサスリーブ１２が維持される。このようにして、センサスリーブ１２は、同時に、ハーネススリーブ２８にさらなる保護を与えるのに加えて、センサ１４を囲み保護することになる。さらに、位置決め装置３２は、たとえば留め具、すなわち釘または鋲、粘着部材、および／または、溶接接合を利用することによって、センサスリーブ１２にさらに固定され得る。
【００１３】
図３〜図１１は、現時点での好ましい実施形態に従って構成された位置決め装置を示している。現時点でのある好ましい実施形態において、図３に示されるように、位置決め装置３２は、たとえばナイロンのように、柔軟で弾力のある耐熱性ポリマーといった材料で形成され、また、中央空間３６を囲むバンド部３４を含む。バンド部３４は、中心軸３５に沿って伸長されており、図２に示されるように、センサスリーブ１２の環状の穴部２０
を容易に係合するように円状の外辺部を有する。位置決め装置３２は、たとえば金属や合成部材を含む適切な材料によって組立てられ得ると解すべきである。
【００１４】
装置３２は、少なくとも１つとして、またここで示すように複数としての柔軟で弾力性のある突出部材３８を有する。突出部材３８は、中央空間３６の方に向かって、バンド部３４の隣接する端部の内側に半径方向に向かって、また、ここでは、例として、中心軸３５に向かって延在するように伸びている。突出部材３８は、この実施形態において、単なる一例として、楔形または概してパイ型に形成されそれらの間で楔形空間３７を設けるためにバンド部３４の周囲に互いに間隔をおいて配置されている。この実施形態に示されている楔形空間３７は、楔形の突出部材３８と同様のサイズおよび形として表わされているが、これらは、意図される適用のために望まれる実行基準に依拠して、大きくしたり小さくしたりすることができるであろう。各突出部材３８は、自由端３８ａを有する。自由端３８ａは、ハーネススリーブ２８（図１および図２参照）またはそれが係合しようとする他の細長部材に対して実質的に相補的な形状を有することが好ましい。したがって、もしもハーネススリーブ２８が断面において概して環状であり、示されるように凸状の外表面を有しているなら、自由端３８ａは、ハーネススリーブ２８の外表面によって定められる円弧と直径が実質的に同様の円の弧を定める相補的な凹面を有することが好ましい。当然ながら、適用に依拠して、突出部材３８は、適した個数分設けられ得るし、また、長方形、曲線などのように、概してパイ型の形状以外の形状とすることもできると解されるべきである。
【００１５】
突出部材３８は、片持梁ばねの態様で、自由端３８の反対に位置する端部においてバンド部３４と固定される。片持梁として動作するのは有利である。なぜなら、ハーネススリーブ２８に相対する軸方向にその長さに沿って位置決め装置を移動可能にするために、突出部材の端部３８ａを、位置決め装置３２の中心軸３５に沿って概して弾力的に反らせることができるからである。ハーネススリーブ２８は、もしスリーブ２８の周方向に延在する環状の波状突起部３０を有しているなら、図１および図２に示されているように、突出部材３８と係合して用いられるときに特に有利である。波状突起部３０は、位置決め装置３２の確実な位置決めを保証しかつハーネススリーブ２８に沿って軸方向の力がバンド部３４に加えられると位置決め装置３０を簡単に移動させることができる突出部材３８に、自然な係合および固定の機能を与えるために、周方向に延在する環状の尾根部３０ａと周方向に延在する環状の溝部または谷部３０ｂとが交互に形成される。十分な大きさでバンド部３４に加えられるそのような力によって、突出部材３８は、図１に示されるように、片持梁の態様で組立品の間のバンド部３４から離れて軸方向に反ることができ、また、突出部材３８は、位置決め装置３２のための新たな位置を確立するために、端部３８ａが、尾根部３０ａ上に載り、隣接する波状突起部３０の間であって谷部３０ｂ内を弾力的にすばやく動く（snap）ことを可能にする。当然ながら、図１および図２に示される実施の形態において、もしも装置３２が、組立てられた位置から、センサ１４から離れた分解された位置に向かって移動させているなら、突出部材３８は、バンド部３４に向かって内側に軸方向に反る。また、波状突起部３０が存在せず、突出部材端部３８ａとそれらを係合する細長い物品との間の摩擦に依存することも実行可能である。さらに、保護シールドが存在しなくても、突出部材３８が配線用ハーネスと直接係合可能であれば、細長い物品はハーネススリーブ２８を必要としない。いずれの実施形態においても、位置決め装置３２を動かすために加えられる力は、突出部材３８とそれらを係合するいずれかの細長い構成品との間に生じる抵抗を克服する程度に十分でなければならない。突出部材３８によって加えられる反りの抵抗は、それらの長さ、全体のサイズ、個数、ならびに、タイプおよび／または工場において形成される材料の厚みに適合するように変えることができる。
【００１６】
位置決め装置３２は、バンド部３４から外側に向かって半径方向に延在する縁部４０を有する。この例において、縁部４０は、バンド部３４における、突出部材３８の場合と同
じ端部に配置される。縁部４０は、位置決め装置３２がセンサスリーブ１２と相互に完全に組立てられた位置に押されたときに、留め具として機能する。
【００１７】
図４は、位置決め装置の他の実施形態３３を示す。この位置決め装置は、装置３２と実質的に同様であるが、突出部材３８が互いに隣接して配置されているので、実質的に、隣接する突出部材３８間の空間を省いている。その代わりに、隣接する突出部材３８は、それらの長さに沿って概して同形の幅を有するスリット４１によって、お互いから周方向に間隔を置いて配置される。
【００１８】
図５は、位置決め装置のさらに他の実施形態４２を示している。位置決め装置４２は、複数の突出部材４６が取付けられる、伸長されたテーパー状のバンド部４４を含む。バンド部４４は、突出部材４６がそれに向かって延在する中央空間４８を設ける。突出部材４６は、互いに隣接するバンド部４４の周りに円状に並べられる（または、上記第１の実施形態と同様に、離れて配置された関係であってもよい）。好ましくは、突出部材４６の端部４６ａは、それらが使用中において係合するように細長い物品を収容するように（この事例では円弧として）形成されている。縁部５０は、バンド部４４から外側に向かって半径方向に延在するものであって、縁部５０は、バンド部４４の、突出部材４６とは反対側の端部に配置されている。
【００１９】
図６は、位置決め装置のさらに他の実施形態５２を示している。再び、装置５２は、複数の弾力性のある柔軟な突出部材５６が取付けられるバンド部５４を含む。バンド部５４は、先に記載した実施の形態のように伸長されたものではないが、中央空間５８を設けており、突出部材５６はこの中央空間に向かって延在している。突出部材５６は、互いに離れて配置された関係として示されおり、それゆえに第１の実施形態と同様に楔形の空間を定めているものの、図４に示されたように互いに隣接して形成されてもよい。
【００２０】
図７は、位置決め装置のさらに他の実施形態６０を示している。この実施形態は、図４に示した実施形態と似て、装置６０は、複数の弾力性のある柔軟な完全な長さの突出部材６４が取付けられるバンド部６２を含んでいる。しかしながら、長さが短く縮められた部分突出部材６５が、完全な長さの突出部材６４の間に延在することによって、完全な長さの突出部材６４の間に、その突出部材６４の自由端６６と近接する、部分的な楔形の空間６７が設けられる。部分突出部材６５は、ここでは例として、完全な長さの突出部材６４と同様の幅のように表わされているが、部分突出部材６５の幅は、意図された適用に望ましいように、完全な長さの突出部材６４よりも広くまたは狭く変えることができる。
【００２１】
先端が切取られた部分突出部材６５は、そこを通って受入れられるハーネススリーブ２８と関連した僅かな隙間を有したまま間隔を置いて配置されるように（図８）、内側に予め定められた長さ延在することが好ましい。それによって、装置６０と概ね同軸にハーネススリーブ２８を維持したまま動作するとともに、係合されたハーネススリーブ２８の長さ方向に沿って装置６０を移動可能にすることの容易さを促進する。したがって、ハーネススリーブ２８が、間隔を置いて配置された突出部材６４の間に半径方向に動くことを避けることができる。僅かに隙間を空けて適合することは、いくつかの適用において好ましいかもしれないが、短い突出部材６５と、ハーネススリーブ２８またはそこを通って受入れられる他の細長部材との間に線同士の適合が存在し得ることが意図される。しかし、装置６０は、図３を参照して上記したものと概ね同様である。
【００２２】
図９は、位置決め装置のさらに他の実施形態６８を示す。この実施の形態は、図５に示された実施形態と同様であり、装置６８は、複数の弾力性のある柔軟な完全な長さの突出部材７２が取付けられた円錐形のようにテーパー状のバンド部７０を含んでいる。しかし、装置６８は、図７および図８に関連して上記したものと同様の様式で完全な長さの突出
部材７２の間に部分的な楔形状の空間７４を設けるために、完全な長さの突出部材７４の間に延在する長さが短く縮められた部分突出部材７３を有している。したがって、図７および図８に関連して既に論述が行なわれているので、さらなる論述を必要としないと確信する。
【００２３】
図１０は、位置決め装置のさらに他の実施形態７６を示す。この実施形態は、図６に示した実施形態と同様であり、装置７６は、複数の弾力性のある柔軟な完全な長さの突出部材７８が取付けられる、概して平らなバンド部７７を含んでいる。しかし、装置７６は、図７〜９に関連して上記したものと同様の様式で、完全な長さの突出部材７８の間に部分的な楔形状の空間８０を設けるために、完全な長さの突出部材７８の間に延在する長さが短く縮められた部分突出部材７９を有している。したがって、図７〜９に関連して既に論述が行なわれているので、さらなる論述を必要としないと確信する。
【００２４】
図１１は、位置決め装置のさらに他の実施形態８２を示す。この実施形態は、細長いバンド部を有する上述の実施形態のいずれかに従って使用されることができ、ここでは、完全な長さの突出部材８３と部分的な長さの突出部材８５とを交互に有するとして示されている。装置８２のバンド部８４は、たとえば、概して楕円形の形状であるとして示されている。したがって、バンド部は、バンド部８４の外表面に対して相補的なサイズと形の楕円形の穴部８８を有するセンサスリーブ８６と共同して用いられることが好ましい。それは、バンド部８４が、楕円形の穴部８８に容易に受入れられかつ、好ましくはそこにぴったりと取付けられるようにするためである。バンド部８４は、楕円形として示されたが、望まれるように、半径方向の断面において四角形またはその他のような非円形を採用し得ると解されるべきである。
【００２５】
図１２は、位置決め装置のさらに他の実施形態９０を示す。この実施形態は、図１〜４および図７〜８に示された実施形態と類似しており、装置９０が、少なくとも１つの、また示されるように複数の弾力性のある柔軟な突出部材９４が取付けられるバンド部９２を含む。しかしながら、位置決め装置９０は、保護センサスリーブ９６と一体の材料として形成される。センサスリーブ９６は、適用に従い、適した長さおよび周囲の形状を有するように組立てられ得る。さらに、センサスリーブ９６は、振動、摩耗、騒音、ＥＭＩ、および／または温度の影響に対してさらなる保護を与えるために、最適な材料でできた内側保護層９８を有することができる。これに対し、位置決め装置９０およびそれに関連する特徴は、図１〜４および図７〜８に関連して上述したものと概して同様に機能するので、さらなる論述は必要ではない。
【００２６】
図１３は、位置決め装置のさらに他の実施形態１００を示す。この実施形態は、位置決め装置１００の中央空間１０４に向かって半径方向に延在する、少なくとも１つの、また示されるように複数の突出部材１０２，１０３とともに構成され得る。先の実施の形態と同様に単一の開口部を構成するために内側に向かって延在する突出部材１０２，１０３ではなく、突出部材１０２は、一方の開口部１０５を構成する１つの軸に向かって延在し、突出部材１０３は、開口部１０５から離れた他方の開口部１０７を構成する別の軸に向かって内側に延在している。それによって、分離された開口部１０５，１０７は、位置決め装置１００に、１対の分離された配線用ハーネス１０６のような１対の細長部材を受容させることができる。
【００２７】
よって、上記現時点での好ましい形態の説明を考慮して、この発明に従って構成された位置決め装置は、多くの異なる応用を適応させるためにさまざまな形、サイズおよび形状によって組立てられ得ると解すべきである。この装置は、単一の配線用ハーネス、１対の配線用ハーネス、またはそれ以上と係合して用いられ得ると解すべきである。もしも２以上の配線用ハーネスが位置決め装置に受入れられているならば、１または複数の突出部材
は、多数の配線用ハーネスを適用させるのに必要となる多くの開口部を形成する、開口部と同じ数の軸に向かって突き出るように形成され得る。また、位置決め装置の突出部材は、最適な形状およびサイズとなるように形成されることができ、かつ、それらは、図３〜６のように完全な突出部材として与えられてもよいし、図７〜１１のように部分突出部材を有してもよいと解されるべきである。
【００２８】
この発明に従って構成された位置決め装置および位置決め組立品は、たとえば配線用ハーネスといった細長い物品に沿った予め定められた位置で、保護スリーブまたは他の物品を固定するため、多数の利点を備える。例示であって限定ではないが、それらは電気センサのような部品を保護するために所望の位置に保護スリーブをしっかりと固定および／または維持し、なおも、それらは保護スリーブの位置を変えるために細長い物品に沿って容易に移動される。これにより、保護スリーブが、部品のメンテナンスのために物品から素早く取除かれ、スリーブを摩耗することなく部品を保護するために容易に位置を変えられ、それによりそれを再利用可能にすることができる。さらに、位置決め組立品または装置は、保護される部品、配線用ハーネス、ハーネススリーブおよび部品スリーブを含むサブ組立品の一部であってもよい。削減に対するこのような貢献は、保護スリーブを組立てるステップが最小限にされるので、車両へのサブ組立品の組込みに関連するコストである。
【００２９】
上記の教示に鑑み、明らかに、本発明の多くの修正および変形が可能である。それゆえに、添付された請求項の範囲内において、この発明は、特に記載された以外にも実行され得ると解される。
【図１】
2010523000.tif 000003
【図２】
2010523000.tif 000004
【図３】
2010523000.tif 000005
【図４】
2010523000.tif 000006
【図５】
2010523000.tif 000007
【図６】
2010523000.tif 000008
【図７】
2010523000.tif 000009
【図８】
2010523000.tif 000010
【図９】
2010523000.tif 000011
【図１０】
2010523000.tif 000012
【図１１】
2010523000.tif 000013
【図１２】
2010523000.tif 000014
【図１３】
2010523000.tif 000015
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
位置決め装置と細長部材との組合わせであって、前記位置決め装置は保護スリーブを前記細長部材に沿った予め定められた位置に維持するためのものであり、前記細長部材は前記保護スリーブを貫く穴部内に位置決め可能な管状の保護ハーネスであり、前記位置決め装置は、
中央空間を囲むバンド部と、
前記バンド部に取付けられた第１の端部と前記中央空間の内側に向かって半径方向に延在する第２の端部とを有する少なくとも１つの柔軟で弾力性のある突出部材とを備え、前記第２の端部の少なくとも１つは、前記中央空間内に受け入れられる前記細長部材と係合可能であり、前記バンド部および前記少なくとも１つの突出部材は、前記細長部材の長さ方向の軸に沿って前記バンド部に向けられかつ前記少なくとも１つの突出部材と前記細長部材との間の抵抗を克服するのに十分な力が加えられることにより、前記細長部材に沿って前記予め定められた位置に滑らせて移動可能であり、前記第２の端部の少なくとも１つは、前記細長部材を強固に係合し、前記力が加えられていないときに前記バンド部を前記予め定められた位置にて保持し、かつ、前記細長部材に沿った前記予め定められた位置に前記スリーブを維持する、組合わせ。
【請求項２】
前記細長部材は、環状の溝部によって互いから軸方向において一定の間隔で配置された複数の環状の波状突起部を備え、前記第２の端部の少なくとも１つは、前記バンド部と前記スリーブとを前記予め定められた位置に維持するために、隣り合う波状突起部の間にある前記環状の溝部の一つに受入れられ、前記少なくとも１つの突出部材は、弾力的に柔軟であり、前記位置決め装置を前記細長部材に関連した軸方向に移動させるために、前記中央軸に沿った前記バンド部への力が加えられることにより前記波状突起部上を通過する、請求項１に記載の組合わせ。
【請求項３】
前記位置決め装置は、前記突出部材のうちの隣接する突出部材が異なる長さである、複数の前記突出部材を有する、請求項２に記載の組合わせ。
【請求項４】
前記位置決め装置は、前記第２の端部の少なくともいくつかが前記細長部材から外側に
向かって半径方向に一定の間隔で配置されている、複数の前記突出部材を有する、請求項１に記載の組合わせ。
【請求項５】
前記バンド部は、前記細長部材の前記穴部内に少なくとも部分的に受け入れられるようサイズ決めされている、請求項１に記載の組合わせ。
【請求項６】
前記位置決め装置は、互いに隣接するよう位置決めされた複数の前記突出部材を有する、請求項１に記載の組合わせ。
【請求項７】
前記突出部材のうちの隣接する突出部材の間に空間が設けられる、請求項６に記載の組合わせ。
【請求項８】
前記空間は、前記突出部材と実質的に同様の形状である、請求項７に記載の組合わせ。
【請求項９】
前記第２の端部は、前記細長部材の外表面に対して相補的な形状を有する、請求項１に記載の組合わせ。
【請求項１０】
前記位置決め装置および前記保護スリーブは、一体の材料として形成される、請求項１に記載の組合わせ。
【請求項１１】
前記位置決め装置は、１対の前記細長部材を受入れるための１対の分離された開口部の少なくとも一部を形作るために分離された軸に向かって延在する少なくとも１対の突出部材を有する、請求項１に記載の組合わせ。
【請求項１２】
前記位置決め装置は、前記軸の一方に向かって延在する複数の突出部材と、前記軸の他方に向かって延在する複数の突出部材とをさらに備える、請求項１１に記載の組合わせ。
【請求項１３】
配線用ハーネスと接続されたセンサを保護するための組立品であって、前記組立品は、
前記センサに受入れられるための穴部を有する保護シールドと、
隣接の前記センサから前記保護シールドの前記穴部を通って延在する、伸長されたハーネススリーブと、前記ハーネススリーブは、前記配線用ハーネスの少なくとも一部を囲み、
前記センサを保護するために前記ハーネススリーブに沿った予め定められた位置に前記保護シールドを維持するための位置決め装置とを備え、前記位置決め装置は、中央空間を囲む伸長されたバンド部と、前記バンド部に取付けられた第１の端部と前記中央空間の内側に向かって半径方向に延在する第２の端部とを有する少なくとも１つの柔軟で弾力性のある突出部材とを含み、前記第２の端部の少なくとも１つは、前記中央空間内に受け入れられる前記ハーネススリーブと係合可能であり、前記バンド部および前記少なくとも１つの突出部材は、前記ハーネススリーブに沿って完全な軸方向に向けられた力が加えられることにより、前記予め定められた位置に滑らせて移動可能であり、前記第２の端部の少なくとも１つは、前記力の除去によって前記ハーネススリーブを強固に係合し、前記バンド部および前記保護シールドを前記予め定められた位置にて維持する、組立品。
【請求項１４】
外側にハーネススリーブを有する伸長された配線用ハーネスの一端と接続された装置を保護する方法であって、
中央空間を有する環状のバンド部と、前記バンド部に取り付けられた第１の端部、および、前記中央空間の内側に向かって半径方向に延在する第２の端部を有する少なくとも１つの柔軟で弾力性のある突出部材とを設けることと、
管状の保護シールドを設けることと、
前記装置に保護を与えるために、前記装置を少なくとも部分的に囲む保護位置に前記保
護シールドを位置決めすることと、
前記バンド部の前記中央空間に前記ハーネススリーブを配置することと、
前記保護位置に前記保護シールドを取り外し可能に維持するために、前記バンド部を前記ハーネススリーブに沿って前記保護シールドとともに滑らせることとを備え、前記滑らせることによって、軸方向に前記バンド部へかけられた力が加えられると、前記少なくとも１つの突出部材における少なくとも１つの前記第２の端部を前記ハーネススリーブと柔軟に係合させ、前記力が加えられていない場合は、前記少なくとも１つの突出部材における前記第２の端部の少なくとも一つは、前記ハーネススリーブと係合状態のままとなり、前記保護位置に前記保護シールドを維持する、方法。
【請求項１５】
前記ハーネススリーブに、環状の溝部によって互いから軸方向において一定の間隔で配置された複数の環状の波状突起部を与えることをさらに備え、前記第２の端部の前記少なくとも１つは、前記力の除去により前記バンド部と前記保護シールドとを前記予め定められた位置に維持するために、隣り合う波状突起部の間にある前記環状の溝部の一つに受入れられる、請求項１４に記載の方法。
【国際調査報告】
2010523000.tif 000016
2010523000.tif 000017